【手続補正書】
【提出日】平成21年7月6日(2009.7.6)
【手続補正１】
【補正対象書類名】特許請求の範囲
【補正対象項目名】全文
【補正方法】変更
【補正の内容】
【特許請求の範囲】
【請求項１】
吐出口からインクを吐出するための熱エネルギーを発生する発熱部が設けられたサーマルインクジェットヘッドを具備し、且つ、インクを収容するインクカートリッジであって、
該発熱部が該インクと接する面に、珪素の、窒化物及び炭化物からなる群より選ばれる少なくとも一つを含有する保護層を有し、
該インクが、該保護層を溶解する物質と下記一般式（１）で表される化合物とを含有し、且つ、該下記一般式（１）で表される化合物のインク中の含有量Ｘ（質量％）が１≦Ｘ≦３０を満足することを特徴とするインクカートリッジ。
2007039681.tif 000001
（Ａは、窒素原子とカルボニル基とＲ3と共に環を形成する、炭素数が１〜４のアルキレン基又はアルケニレン基を表す。Ｒ1とＲ4は、それぞれ独立に、水素原子、水酸基、置換若しくは非置換のアルキル基、置換若しくは非置換のアルケニル基、置換若しくは非置換のアシル基、カルバモイル基、置換若しくは非置換のカルボキシル基、及び、置換若しくは非置換のスルホニル基のいずれかを表す。Ｒ2は、Ａの任意の炭素原子に結合する基であり、水素原子、水酸基、置換若しくは非置換のアルキル基、置換若しくは非置換のアルケニル基、置換若しくは非置換のアシル基、カルバモイル基、置換若しくは非置換のカルボキシル基、及び、置換若しくは非置換のスルホニル基のいずれかを表し、ｎは０〜４の整数である。Ｒ3は、炭素又は窒素原子を表す。）
【請求項２】
前記一般式（１）で表される化合物が、下記一般式（２）で表される化合物である請求項１に記載のインクカートリッジ。
2007039681.tif 000002
（Ｒ1とＲ4は、それぞれ独立に、炭素数が１〜４の置換若しくは非置換アルキル基、水素原子、水酸基、カルボキシル基、及び、スルホニル基のいずれかを表す。Ｒ2は、五員環を構成する窒素原子、カルボニル基、Ｒ3以外の炭素原子に結合する、水素原子、水酸基、炭素数が１〜４の置換若しくは非置換アルキル基、カルボキシル基、及び、スルホニル基のいずれかを表し、ｎは０〜４の整数である。Ｒ3は、炭素又は窒素原子を表す。）
【請求項３】
前記保護層を溶解する物質が、下記化合物（３）、下記化合物（４）、多価カルボン酸及びその塩からなる群より選ばれる少なくとも一つを含有する請求項１又は２に記載のインクカートリッジ。
2007039681.tif 000003
2007039681.tif 000004
【請求項４】
前記保護層を溶解する物質が、多価カルボン酸及びその塩であり、且つ、該多価カルボン酸及びその塩のインク中の含有量Ｙ（ｍｍｏｌ／ｌ）が、前記Ｘとの関係において、０．００１≦Ｙ≦０．０２Ｘ＋０．０９を満足する請求項３に記載のインクカートリッジ。
【請求項５】
前記多価カルボン酸及びその塩がクエン酸及びその塩である請求項３又は４に記載のインクカートリッジ。
【請求項６】
前記保護層の厚さが、５０ｎｍ以上５００ｎｍ以下である請求項１乃至５のいずれか１項に記載のインクカートリッジ。
【請求項７】
前記サーマルインクジェットヘッドがインク液室を有し、前記保護層のインクと接する部分の表面積に対するインク液室の容積の割合が５０μｍ3／μｍ2以下である請求項１乃至６のいずれか１項に記載のインクカートリッジ。
【請求項８】
前記吐出口と前記発熱部が対向するように配置されている請求項１乃至７のいずれか１項に記載のインクカートリッジ。
【請求項９】
吐出口からインクを吐出するための熱エネルギーを発生する発熱部が設けられ、該発熱部が該インクと接する面に、珪素の、窒化物及び炭化物からなる群より選ばれる少なくとも一つを含有する保護層を有するサーマルインクジェットヘッド用のインクであって、
該保護層を溶解する物質と、下記一般式（１）で表される化合物とを含有し、且つ、該一般式（１）で表される化合物のインク中の含有量Ｘ（質量％）が１≦Ｘ≦３０を満足することを特徴とするインク。
2007039681.tif 000005
（Ａは、窒素原子とカルボニル基とＲ3と共に環を形成する、炭素数が１〜４のアルキレン基又はアルケニレン基を表す。Ｒ1とＲ4は、それぞれ独立に、水素原子、水酸基、置換若しくは非置換のアルキル基、置換若しくは非置換のアルケニル基、置換若しくは非置換のアシル基、カルバモイル基、置換若しくは非置換のカルボキシル基、及び、置換若しくは非置換のスルホニル基のいずれかを表す。Ｒ2は、Ａの任意の炭素原子に結合する基であり、水素原子、水酸基、置換若しくは非置換のアルキル基、置換若しくは非置換のアルケニル基、置換若しくは非置換のアシル基、カルバモイル基、置換若しくは非置換のカルボキシル基、及び、置換若しくは非置換のスルホニル基のいずれかを表し、ｎは０〜４の整数である。Ｒ3は、炭素又は窒素原子を表す。）
【請求項１０】
前記一般式（１）で表される化合物が、下記一般式（２）で表される化合物である請求項９に記載のインク。
2007039681.tif 000006
（Ｒ1とＲ4は、それぞれ独立に、炭素数が１〜４の置換若しくは非置換アルキル基、水素原子、水酸基、カルボキシル基、及び、スルホニル基のいずれかを表す。Ｒ2は、五員環を構成する窒素原子、カルボニル基、Ｒ3以外の炭素原子に結合する、水素原子、水酸基、炭素数が１〜４の置換若しくは非置換アルキル基、カルボキシル基、及び、スルホニル基のいずれかを表し、ｎは０〜４の整数である。Ｒ3は、炭素又は窒素原子を表す。）
【請求項１１】
前記保護層を溶解する物質が、下記化合物（３）、下記化合物（４）、多価カルボン酸及びその塩からなる群より選ばれる少なくとも一つを含有する請求項９又は１０に記載のインク。
2007039681.tif 000007
2007039681.tif 000008
【請求項１２】
前記保護層を溶解する物質が、多価カルボン酸及びその塩であり、且つ、該多価カルボン酸及びその塩のインク中の含有量Ｙ（ｍｍｏｌ／ｌ）が、前記Ｘとの関係において、０．００１≦Ｙ≦０．０２Ｘ＋０．０９を満足する請求項１１に記載のインク。
【請求項１３】
前記多価カルボン酸及びその塩がクエン酸及びその塩である請求項１１又は１２に記載のインク。
【手続補正２】
【補正対象書類名】明細書
【補正対象項目名】００１７
【補正方法】変更
【補正の内容】
【００１７】
上記に挙げた目的は、下記の本発明によって達成される。即ち、本発明は、吐出口からインクを吐出するための熱エネルギーを発生する発熱部が設けられたサーマルインクジェットヘッドを具備し、且つ、インクを収容するインクカートリッジであって、該発熱部が該インクと接する面に、珪素の、窒化物及び炭化物からなる群より選ばれる少なくとも一つを含有する保護層を有し、該インクが、該保護層を溶解する物質と下記一般式（１）で表される化合物とを含有し、且つ、該下記一般式（１）で表される化合物のインク中の含有量Ｘ（質量％）が１≦Ｘ≦３０を満足することを特徴とするインクカートリッジである。
2007039681.tif 000009
（Ａは、窒素原子とカルボニル基とＲ3と共に環を形成する、炭素数が１〜４のアルキレン基又はアルケニレン基を表す。Ｒ1とＲ4は、それぞれ独立に、水素原子、水酸基、置換若しくは非置換のアルキル基、置換若しくは非置換のアルケニル基、置換若しくは非置換のアシル基、カルバモイル基、置換若しくは非置換のカルボキシル基、及び、置換若しくは非置換のスルホニル基のいずれかを表す。Ｒ2は、Ａの任意の炭素原子に結合する基であり、水素原子、水酸基、置換若しくは非置換のアルキル基、置換若しくは非置換のアルケニル基、置換若しくは非置換のアシル基、カルバモイル基、置換若しくは非置換のカルボキシル基、及び、置換若しくは非置換のスルホニル基のいずれかを表し、ｎは０〜４の整数である。Ｒ3は、炭素又は窒素原子を表す。）
【手続補正３】
【補正対象書類名】明細書
【補正対象項目名】００１８
【補正方法】変更
【補正の内容】
【００１８】
又、本発明は、吐出口からインクを吐出するための熱エネルギーを発生する発熱部が設けられ、該発熱部が該インクと接する面に、珪素の、窒化物及び炭化物からなる群より選ばれる少なくとも一つを含有する保護層を有するサーマルインクジェットヘッド用のインクであって、該保護層を溶解する物質と、下記一般式（１）で表される化合物とを含有し、且つ、該一般式（１）で表される化合物のインク中の含有量Ｘ（質量％）が１≦Ｘ≦３０を満足することを特徴とするインクである。
2007039681.tif 000010
（Ａは、窒素原子とカルボニル基とＲ3と共に環を形成する、炭素数が１〜４のアルキレン基又はアルケニレン基を表す。Ｒ1とＲ4は、それぞれ独立に、水素原子、水酸基、置換若しくは非置換のアルキル基、置換若しくは非置換のアルケニル基、置換若しくは非置換のアシル基、カルバモイル基、置換若しくは非置換のカルボキシル基、及び、置換若しくは非置換のスルホニル基のいずれかを表す。Ｒ2は、Ａの任意の炭素原子に結合する基であり、水素原子、水酸基、置換若しくは非置換のアルキル基、置換若しくは非置換のアルケニル基、置換若しくは非置換のアシル基、カルバモイル基、置換若しくは非置換のカルボキシル基、及び、置換若しくは非置換のスルホニル基のいずれかを表し、ｎは０〜４の整数である。Ｒ3は、炭素又は窒素原子を表す。）